(57)【要約】【課題】  精度よく、かつ簡易に静止誘導電器の監視ができる監視システム、および監視装置を提供することにある。【解決手段】  静止誘導電器の監視システムは、高圧巻線と低圧巻線とを有し、高圧巻線が有するタップ端子のうち、電力系統に接続されていないタップ端子間に接続された第１の計器用変圧器と、第１の計器用変圧器の巻数の比と、高圧巻線の巻数とタップ端子間の巻線の比と、高圧巻線とタップ端子間の漏れインピーダンスに対応する補正値と、第１の計器用変圧器に発生する電圧とに基づいて、高圧巻線の端子間の電圧を求める監視部とを有する。【選択図】  図１
2020004795.tif 000002
【特許請求の範囲】
【請求項１】
高圧巻線と低圧巻線とを有する静止誘導電器の監視システムであって、
前記高圧巻線が有するタップ端子のうち、電力系統に接続されていないタップ端子間に接続された第１の計器用変圧器と、
前記第１の計器用変圧器の巻数の比と、前記高圧巻線の巻数と前記タップ端子間の巻線の比と、前記高圧巻線と前記タップ端子間の漏れインピーダンスに対応する補正値と、前記第１の計器用変圧器に発生する電圧とに基づいて、前記高圧巻線の端子間の電圧を求める監視部とを有することを特徴とする静止誘導電器の監視システム。
【請求項２】
請求項１に記載の静止誘導電器の監視システムにおいて、
低圧側の電圧を計測する第２の計器用変圧器と、高圧側の電流を計測する第１の変流器と、低圧側の電流を計測する第２の変流器を有し、
前記監視部は、
前記第１の計器用変圧器と前記第１の変流器で計測した電圧および電流に基づいて、前記静止誘導電器の入力電力を求め、
前記第２の計器用変圧器と前記第２の変流器で計測した電圧および電流に基づいて、前記静止誘導電器の出力電力を求め、
前記入力電力と前記出力電力に基づいて、前記静止誘導電器で消費される消費電力を求めることを特徴とする静止誘導電器の監視システム。
【請求項３】
請求項２に記載の静止誘導電器の監視システムにおいて、
前記監視部は、
前記第１の計器用変圧器と前記第１の変流器で計測した電圧および電流の瞬時値を掛けた値を所定時間にわたり時間積分をすることで、前記入力電力を求め、
前記第２の計器用変圧器と前記第２の変流器で計測した電圧および電流の瞬時値を掛けた値を所定時間にわたり時間積分をすることで、前記出力電力を求め、
前記入力電力から前記出力電力を減算することで、前記消費電力を求めることを特徴とする静止誘導電器の監視システム。
【請求項４】
請求項１に記載の静止誘導電器の監視システムにおいて、
前記監視部は、
前記第１の計器用変圧器に発生する前記電圧の波形を計測する計測手段と、
前記高圧巻線の端子間の前記電圧を演算する演算部と、
前記第１の計器用変圧器に発生する前記電圧の時系列データ、もしくは前記高圧巻線の端子間の前記電圧を記録する記録手段とを有することを特徴とする静止誘導電器の監視システム。
【請求項５】
請求項４に記載の静止誘導電器の監視システムにおいて、
前記監視部は、
前記記録手段に記録した前記時系列データ、もしくは前記高圧巻線の端子間の前記電圧を、外部に送信する手段を有することを特徴とする静止誘導電器の監視システム。
【請求項６】
請求項１に記載の静止誘導電器の監視システムにおいて、
前記監視部は、防水用の保護部材で囲まれており、
前記静止誘導電器の筐体の外部に配置したことを特徴とする静止誘導電器の監視システム。
【請求項７】
請求項１に記載の静止誘導電器の監視システムにおいて、
前記監視部は、
前記静止誘導電器の高圧側に配置した受電コイルから供給される電力により駆動されることを特徴とする静止誘導電器の監視システム。
【請求項８】
請求項１に記載の静止誘導電器の監視システムにおいて、
前記静止誘導電器は、三相の前記高圧巻線と前記低圧巻線とを有し、
前記第１の計器用変圧器は、前記三相の前記高圧巻線の前記タップ端子間に配置され、
第１の変流器は、前記三相の高圧側に配置され、
第２の計器用変圧器は、前記三相の低圧側に配置され、
第２の変流器は、前記三相の低圧側に配置され、
前記監視部は、
前記第１の計器用変圧器と前記第２の計器用変圧器で計測した電圧と、前記第１の変流器と前記第２の変流器で計測した電流とに基づいて、前記三相の前記静止誘導電器で消費される消費電力を求めることを特徴とする静止誘導電器の監視システム。
【請求項９】
請求項８に記載の静止誘導電器の監視システムにおいて、
前記静止誘導電器は、モールド三相変圧器であり、
前記三相の前記高圧巻線はモールドされ、前記タップ端子は、モールド表面に配置されたことを特徴とする静止誘導電器の監視システム。
【請求項１０】
高圧巻線と低圧巻線とを有し、前記高圧巻線が有するタップ端子のうち、電力系統に接続されていないタップ端子間に第１の計器用変圧器が接続されている静止誘導電器に取り付ける監視装置であって、
前記第１の計器用変圧器に発生する電圧を取得する電圧計測部と、
前記第１の計器用変圧器の巻数の比と、前記高圧巻線の巻数と前記タップ端子間の巻線の比と、前記高圧巻線と前記タップ端子間の漏れインピーダンスに対応する補正値と、前記電圧計測部からの計測結果とに基づいて、前記高圧巻線の端子間の電圧を求める演算部とを有することを特徴とする監視装置。
【発明の詳細な説明】
【技術分野】
【０００１】
本発明は、変圧器やリアクトル等の静止誘導電器に関し、特に、その静止誘導電器の監視をする技術に関する。
【背景技術】
【０００２】
一般的な電力系統の受配電端では、配電用変電所からの３〜６ｋＶ級の電力が複数の高圧配電線により送電されて柱上に備えられた受配電用変圧器等の静止誘導電器に接続され、１００〜２００Ｖに降圧されて各需要家に配電される。電力系統の信頼性を確保し、適正な電圧・周波数を維持するため、従来は変電所等において配電状況を監視、調整している。
【０００３】
しかし、近年では電力系統への風力、太陽光発電等による再生可能エネルギー電源の導入が進展している。これらの発電電力は天候状況等により刻一刻と変動するため、電力系統の健全性の把握や維持が困難となっている。このような状況に鑑み、各需要家が消費する電力量を把握することが考えられる。
【０００４】
各需要家が消費する電力量を確実に把握する方法として、個々の静止誘導電器の入出力電力を電圧、電流を直接計測して求め、計測値を有線または無線通信手段により収集して系統管理に資することが望まれる。そのような技術が実現できれば、系統監視のみならず、個々の静止誘導電器の異常や余寿命に関する情報が得られ、その突発的な故障による停電等の発生を未然に防ぐことも可能になる。
【０００５】
しかし、３〜６ｋＶ級の高圧一次側の入力電圧を計測するには、十分な絶縁対策を施す必要があり、計測のための部品が高コストとなる問題がある。この問題を解決する手段として、低圧二次側の出力電圧の計測値と、一次側巻線と二次側巻線の巻数比から高圧一次側の電圧を計算により求める方法が考えられる。例えば、特許文献１には、絶縁型ＤＣ−ＤＣコンバータのスイッチング動作の制御のため、絶縁トランスの二次側整流回路に接続された制御回路からのパルス信号を、一次側に伝達するために備えられたパルストランスの巻数比から入力電源電圧を算出し、それに応じたコンバータの制御を行う技術が、開示されている。
【先行技術文献】
【特許文献】
【０００６】
【特許文献１】ＷＯ２００９／０１１３７４号公報
【発明の概要】
【発明が解決しようとする課題】
【０００７】
特許文献１による技術は、ＤＣ−ＤＣコンバータのように、入出力される電圧波形が厳密に制御される用途においては有効である。しかし、電力系統に用いられる静止誘導電器においては、上述したように再生可能エネルギー電源の増加に伴い、制御できない電圧、周波数の変動や、高調波の重畳が顕著となる。よって、静止誘導電器の一次側と二次側巻線間の漏れインピーダンスが不規則に変動し、巻数比による一次側電圧の算出精度が十分確保できない課題がある。そこで、静止誘導電器の高圧一次側の入力電圧を計測することが望ましいが、上記したように、例えば、３〜６ｋＶ級の高圧一次側の入力電圧を計測するには、十分な絶縁対策を施す必要があるため、対策が複雑となり、計測のための部品が高コストとなる問題がある。
【０００８】
本発明の目的は、精度よく、かつ簡易に静止誘導電器の監視ができる監視システム、および監視装置を提供することにある。
【課題を解決するための手段】
【０００９】
本発明の好ましい一例としては、高圧巻線と低圧巻線とを有する静止誘導電器の監視システムであって、
前記高圧巻線が有するタップ端子のうち、電力系統に接続されていないタップ端子間に接続された第１の計器用変圧器と、前記第１の計器用変圧器の巻数の比と、前記高圧巻線の巻数と前記タップ端子間の巻線の比と、前記高圧巻線と前記タップ端子間の漏れインピーダンスに対応する補正値と、前記第１の計器用変圧器に発生する電圧とに基づいて、前記高圧巻線の端子間の電圧を求める監視部とを有する静止誘導電器の監視システムである。
【００１０】
また、本発明の好ましい他の例は、高圧巻線と低圧巻線とを有し、前記高圧巻線が有するタップ端子のうち、電力系統に接続されていないタップ端子間に第１の計器用変圧器が接続されている静止誘導電器に取り付ける監視装置であって、
前記第１の計器用変圧器に発生する電圧を取得する電圧計測部と、
前記第１の計器用変圧器の巻数の比と、前記高圧巻線の巻数と前記タップ端子間の巻線の比と、前記高圧巻線と前記タップ端子間の漏れインピーダンスに対応する補正値と、前記電圧計測部からの計測結果とに基づいて、前記高圧巻線の端子間の電圧を求める演算部とを有する監視装置である。
【発明の効果】
【００１１】
本発明により、精度よく、かつ簡易に静止誘導電器の監視をすることができる。
【図面の簡単な説明】
【００１２】
【図１】実施例１における単相変圧器の電流、電圧測定方法の回路図。
【図２】実施例１における油入単相変圧器の縦方向の構成図。
【図３】実施例１における油入単相変圧器の横方向の構成図。
【図４】実施例１における油入単相変圧器の運転監視システムの回路図。
【図５】実施例１における油入単相変圧器の運転監視システムの全体図。
【図６】実施例２における油入単相変圧器の運転監視システムの回路図。
【図７】実施例３における三相変圧器の電流、電圧測定方法の回路図。
【図８】実施例３における油入三相変圧器の縦方向の構成図。
【図９】実施例４におけるモールド三相変圧器の正面図。
【図１０】単相変圧器の電流、電圧についての比較例における測定方法を示す回路図。
【発明を実施するための形態】
【００１３】
以下、実施例を、図面を用いて詳細に説明する。
【実施例１】
【００１４】
図１から図５は、第１の実施例１を説明する図である。本実施例の構成とその作用について、図１０に示した比較例を使い説明する。
【００１５】
図１は、実施例１における単相変圧器の電流、電圧を測定する方法を示す回路図である。鉄心３の周囲に、２つに分けられた高圧巻線１ａおよび１ｂと、２つに分けられた低圧巻線２ａおよび２ｂが巻回される。高圧巻線１ａと１ｂの接続部には、一定の巻数ごとに複数のタップ端子１ｄが備えられ、任意のタップ端子間をタップ接続線１ｃで接続することで、該変圧器の高圧、低圧巻線間の巻数比を微調整し、低圧巻線２ａと２ｂの接続部は、接続線２ｃにより接続されて運用に供される。タップ端子１ｄは、例えば、変圧器の受電する電圧が変動した場合、電圧に適合した巻数が選択できるように、巻線の途中から外部へ引き出した引出し線である。本実施例では、高圧側の電極Ｕ、Ｖ間に設けられている。該変圧器の高圧側電圧は電極Ｕ、Ｖ間に印加され、降圧された低圧側電圧は電極ｕ、ｖ間より出力される。
【００１６】
図１０は、前記の単相変圧器に入力される電圧と電流、および出力される電圧と電流の計測方法を示した比較例としての回路図である。Ｕ、Ｖ電極間に第１の計器用変圧器（ＶＴ）１０が、u、ｖ電極間に第２の計器用変圧器２０が接続され、高圧側電圧Ｖ１と低圧側電圧Ｖ２をそれぞれ計測する。そして、高圧側電極には第１の変流器（ＣＴ）１１が、低圧側電極には第２の変流器２１が備えられ、高圧側の電流Ｉ１と低圧側の電流Ｉ２をそれぞれ計測する。該単相変圧器の入力電力Ｐｉｎ、および出力電力Ｐｏｕｔは、電流、電圧の時間波形の積を周期Ｔに渡って時間積分することにより、それぞれ以下の式（１）および式（２）により、求められる。ただし、第１の計器用変圧器１０、および第２の計器用変圧器２０の巻数比は、いずれもｎとする。ここで、巻数比ｎは、高圧巻線の巻数を、低圧巻線の巻数で割った値をいう。周期Ｔとしては、例えば、１／５０秒、または１／６０秒間とし、そのような時間に渡って時間積分して静止誘導電器の入力電力もしくは出力電力を求めることができる、
【００１７】
【数１】
2020004795.tif 000003
【００１８】
【数２】
2020004795.tif 000004
【００１９】
単相変圧器に入力される電圧と電流、および出力される電圧と電流の比較例における計測方法では、高圧側電極Ｕ、Ｖ間には３〜６ｋＶ級の電圧Ｖ０が印加されるため、第１の計器用変圧器１０の巻数比ｎを非常に大きくして、計測される電圧Ｖ１を十分降圧させて、計測される電圧Ｖ１を、式（３）により求める必要がある。
【００２０】
【数３】
2020004795.tif 000005
【００２１】
さらに、電圧を計測するための部品の絶縁対策も施す必要がある。そのため、比較例では、計器用変圧器１０をはじめ、電圧波形を取得するための電子回路や、その先に配置される電子回路等のコストが増加し、安全性の確保も困難となる。
【００２２】
実施例１では、図１に示す回路図により単相変圧器に入力される電圧と電流、および出力される電圧と電流を計測する。低圧側の電圧Ｖ２と電流Ｉ２、および高圧側の電流Ｉ１の計測方法は、比較例と同一である。該単相変圧器の高圧巻線の途中に備えられている、電力系統に接続されていないタップ端子１ｄ間に第１の計器用変圧器１０を接続し、該タップ端子間に発生する電圧Ｖ１を計測する。高圧巻線全体の巻数をＮ１、第１の計器用変圧器１０を接続したタップ端子１ｄ間の巻数をＮｔ、さらに、高圧巻線と、タップ端子１ｄ間の巻線間の漏れインピーダンスに対応する補正係数をｒとすると、計測される電圧Ｖ１と、高圧側電極Ｕ、Ｖ間の高圧側電圧Ｖ０との関係は、式（４）により求めることができる。
【００２３】
【数４】
2020004795.tif 000006
【００２４】
さらに、該変圧器の入力電力Ｐｉｎ’は以下のように求められる。
【００２５】
【数５】
2020004795.tif 000007
【００２６】
第１の計器用変圧器１０を接続するタップ端子１ｄ間の巻線は、高圧巻線１ａ、１ｂの一部なので、該高圧巻線に対する漏れインピーダンスは十分に小さい。よって、式（５）内の補正係数ｒの考慮により、入力電力Ｐｉｎ’を計算することができる。該単相変圧器で発生する損失Ｌｏｓｓは、以下の式により求められる。
【００２７】
【数６】
2020004795.tif 000008
【００２８】
図２は、実施例１における油入単相変圧器の縦方向の構成図を示す。図２では、該単相変圧器の高圧側の電極Ｕ、Ｖのみの配線の状況を示している。単相鉄心３の周囲に低圧巻線２ａと２ｂが、さらにその外側に高圧巻線１ａ、１ｂが、それぞれ２本の磁脚に分けて巻回されている。低圧巻線２ａと２ｂは、接続線２ｃにより接続される。単相鉄心３の上部と下部には固定金具５が備えられ、図示していないが、巻線とともに絶縁油タンク６の内壁に固定されている。上部の固定金具５にはタップ端子台４が備えられ、該端子台には、高圧巻線と接続されたタップ端子が備えられる。高圧巻線１ａと１ｂは、タップ接続線１ｃにより接続されている。そして電力系統に接続されていないタップ端子１ｄに、第１の計器用変圧器１０を接続し、電圧Ｖ１を計測する。高圧側電極には第１の変流器１１が備えられて、高圧側の電流Ｉ１を計測する。そして式（５）により、該単相変圧器への入力電力Ｐｉｎ’が求められる。
【００２９】
図３は、実施例１における油入単相変圧器の横方向の構成図を示す。図２で説明した構成部材の記号は同一なので、その説明は省略する。本図において、絶縁油タンク６の下側には高圧側電極Ｕ、Ｖが備えられ、第１の計器用変圧器１０が接続された端子台４に接続される。そして絶縁油タンク６の上側には低圧側電極ｕ、ｖが備えられ、低圧巻線２ａ、２ｂに直接接続される。第２の計器用変圧器２０は、絶縁油タンク６の外部で、低圧側電極ｕ、ｖに直接接続される。
【００３０】
図４は、本実施例１における油入単相変圧器の運転監視システムの回路図を示す。絶縁油タンク６の内部のタップ端子台４に接続された第１の計器用変圧器１０で計測される電圧Ｖ１とする。低圧側電極ｕ、ｖに接続された第２の計器用変圧器２０で計測される電圧Ｖ２とする。高圧側電極に備えた第１の変流器１１で計測される電流Ｉ１とする。低圧側電極に備えた第２の変流器２１で計測される電流Ｉ２とする。Ｖ１、Ｖ２、Ｉ１、およびＩ２は、監視部もしくは監視装置を構成する基板３５に備えられた電圧、電流波形の計測手段３０に入力される。
【００３１】
計測手段３０は、基板３５上の制御手段３１により制御され、一定時間ごとに前記の電圧、電流波形を計測する。計測された波形、および式（２）、式（５）、および式（６）により、演算部とし機能する制御手段３１が、計算した、該単相変圧器の入力電力Ｐｉｎ’、出力電力Ｐｏｕｔ、損失Ｌｏｓｓ、電圧波形の時系列データ、または電流波形の時系列データは、記録手段３２に蓄積される。
【００３２】
計測、蓄積されたこれらの数値データは、通信手段３３とアンテナ３４により送信され、電力系統の状態の監視、および該単相変圧器の健全性の監視に使われる。なお、計測された数値データの送信方法は、本図に示したアンテナ３４を経由する方法だけではなく、有線通信、あるいは赤外線等の光通信による方法を用いてもよい。基板３５上に備えられる各手段は、電池３６より供給される電力により駆動される。
【００３３】
図５は、実施例１における油入単相変圧器の運転監視システムの全体図を示す。図４に示した、計器用変圧器１０と２０、電圧、電流の計測手段３０、制御手段３１、記録手段３２、および通信手段３３を備えた基板３５は、該単相変圧器の絶縁油タンク６の外面に固定され、電池３６とアンテナ３４が接続されている。
【００３４】
基板３５は、静止誘導電器の筐体としての該絶縁油タンク６の外面に、固定した保護部材としての箱状部材の内部に収納してもよい。もしくは、基板３５は、防水性の保護部材としての樹脂材で覆い、絶縁油タンク６の外面に接着することで固定してもよい。また、監視装置もしくは監視部を構成する基板３５は、防水などの保護部材を、その表面に設けることで、絶縁油タンク６内の開いたスペースに配置することも出来る。そうすることで、絶縁油タンク６の外側のスペースを別の用途に利用できる。
【００３５】
実施例１によれば、静止誘導電器の高圧側の電圧や、消費される電力などを、簡易な構成で、低コストで監視することができる。また、高精度な電力系統の監視、調整が可能になる。さらに、該変圧器の異常や、余寿命に関する情報が得られ、突発的な変圧器の故障による停電等を未然に防ぐことが可能になる。その上、本実施例の監視部もしくは監視装置は、既設の静止誘導電器へ簡便に追加できるので、静止誘導電器の大規模な入れ替え作業を経ずに、高精度な電力系統の監視、調整が可能となる効果も奏する。
【実施例２】
【００３６】
図６は、実施例２における油入単相変圧器の運転監視システムの回路図を示す。実施例１と共通の構成部材には図４と同一の記号が付されており、これらの説明は省略する。実施例１では、基板３５上に備えられる各手段は、電池より供給される電力により駆動されるが、定期的な電池の交換作業が必要になるという課題がある。
【００３７】
そこで実施例２では、該単相変圧器の高圧側電極に受電コイル３７ａを備え、該電極を流れる電流Ｉ１により作られる磁界から誘導起電力を得て、これを基板３５上の各手段を駆動させる電力に供する。
【００３８】
基板３５上には、受電コイル３７ａから出力される交流電力に重畳される高周波成分を除去し、直流電力に変換するフィルタおよび交流−直流変換手段３７が備えられ、生成した直流電力により、基板３５上の他の各手段を駆動させる。
【００３９】
実施例２により、該単相変圧器が電力系統に接続されている間は、監視システムを連続して駆動させることが可能になり、電池の交換作業等が不要になる。
【実施例３】
【００４０】
図７および図８は、実施例３を説明するための図である。図７は、実施例３における三相変圧器の電流、電圧の測定方法の回路図であり、一般的な受配電用変圧器で採用されている、三相高圧巻線１ｕ、１ｖ、１ｗをスター結線し、三相低圧巻線２ｕ、２ｖ、２ｗをデルタ結線した例を示している。実施例１などと共通した箇所の説明は省略している。三相高圧巻線１ｕ、１ｖ、１ｗの電極Ｕ、Ｖ、Ｗの反対側には、一定の巻数ごとに複数のタップ端子１ｄが備えられ、任意のタップ端子間をタップ接続線１ｃで接続することで、該変圧器の高圧、低圧巻線間の巻数比を微調整し、三相低圧巻線２ｕ、２ｖ、２ｗは、接続線２ｃによりデルタ結線されて運用に供される。該三相変圧器の高圧側の三相電圧は電極Ｕ、Ｖ、Ｗに印加され、降圧された低圧側の三相電圧は電極ｕ、ｖ、ｗより出力される。
【００４１】
該三相変圧器の三相高圧巻線１ｕ、１ｖ、１ｗの途中に備えられている、電力系統に接続されていないタップ端子１ｄ間に、第１の計器用変圧器１０ｕ、１０ｖ、１０ｗをそれぞれ接続し、該タップ端子間に発生する相電圧Ｖ１ｕ、Ｖ１ｖ、Ｖ１ｗを計測する。実施例１と同様に、各相の高圧側電極間、つまり、Ｕ−Ｖ間、Ｖ−Ｗ間、Ｕ−Ｗ間の高圧電圧は、それぞれ、式（４）に基づいて、算出することができる。
【００４２】
また、低圧側の三相電極ｕ、ｖ、ｗ間に、第２の計器用変圧器２０ｕｖ、２０ｖｗ、２０ｗｕをそれぞれ接続し、該電極間に発生する線間電圧Ｖ２ｕｖ、Ｖ２ｖｗ、Ｖ２ｗｕを計測する。そして高圧側の三相電極Ｕ、Ｖ、Ｗには、それぞれ第１の変流器１１ｕ、１１ｖ、１１ｗを備えて相電流Ｉ１ｕ、Ｉ１ｖ、Ｉ１ｗを計測し、低圧側の三相電極ｕ、ｖ、ｗには、それぞれ第２の変流器２１ｕ、２１ｖ、２１ｗを備えて線間電流Ｉ２ｕ、Ｉ２ｖ、Ｉ２ｗを計測する。
【００４３】
該三相変圧器の入力電力Ｐｉｎ３、および出力電力Ｐｏｕｔ３は、前記の計器用変圧器および変流器により計測される電圧、電流の時間波形の積を周期Ｔに渡って時間積分することにより求められる。高圧側の三相巻線１ｕ、１ｖ、１ｗそれぞれの巻数をＮ１、第１の計器用変圧器１０ｕ、１０ｖ、１０ｗを接続したタップ端子１ｄ間の巻数をＮｔ、計器用変圧器の巻数比をｎ、さらに高圧巻線１ｕ、１ｖ、１ｗと、各巻線内のタップ端子１ｄ間の巻線間の漏れインピーダンスに対応する補正係数をそれぞれｒｕ、ｒｖ、ｒｗとすると、入力電力Ｐｉｎ３は、
【００４４】
【数７】
2020004795.tif 000009
【００４５】
と表される。また、出力電力Ｐｏｕｔ３は、
【００４６】
【数８】
2020004795.tif 000010
【００４７】
と表され、該三相変圧器で発生する損失Ｌｏｓｓ３は、以下の式により求められる。
【００４８】
【数９】
2020004795.tif 000011
【００４９】
図８は、実施例３における油入三相変圧器の縦方向の構成図を示す。図８では、該三相変圧器の高圧側の電極Ｕ、Ｖ、Ｗのみの配線の状況を示している。三相鉄心３の周囲に三相低圧巻線２ｕ、２ｖ、２ｗが、さらにその外側に三相高圧巻線１ｕ、１ｖ、１ｗが巻回されている。三相鉄心３の上部と下部には固定金具５が備えられ、図示していないが、巻線とともに絶縁油タンク６の内壁に固定されている。上部の固定金具５にはタップ端子台４が備えられ、該端子台には、高圧巻線と接続されたタップ端子が備えられる。そして電力系統に接続されていないタップ端子１ｄに、第１の計器用変圧器１０ｕ、１０ｖ、１０ｗを接続し、相電圧Ｖ１ｕ、Ｖ１ｖ、Ｖ１ｗを計測する。高圧側電極Ｕ、Ｖ、Ｗには第１の変流器１１ｕ、１１ｖ、１１ｗが備えられて、相電流Ｉ１ｕ、Ｉ１ｖ、Ｉ１ｗを計測する。そして（７）式により、実施例１と同様に、制御手段３１が、該三相変圧器への入力電力Ｐｉｎ３を算出する。
【００５０】
実施例３によれば、三相変圧器などの三相の静止誘導電器における高圧側の電圧や、消費される電力などを、低コストで監視することができる。
【実施例４】
【００５１】
図９は、実施例４を示す、モールド三相変圧器の正面図である。実施例４では、実施例３と共通の構成部材には図８と同一の記号が付しており、これらの説明は省略する。実施例４では、樹脂などでモールドされた三相高圧巻線１ｕ、１ｖ、１ｗの表面に複数のタップ端子１ｄが備えられ、任意のタップ端子間をタップ接続線１ｃで接続することで、三相高圧巻線をスター結線している。実施例４では、該高圧巻線の表面に備えられた電力系統に接続されていないタップ端子１ｄ間に第１の計器用変圧器１０ｕ、１０ｖ、１０ｗを接続することで、相電圧Ｖ１ｕ、Ｖ１ｖ、Ｖ１ｗが計測される。
【００５２】
実施例４によれば、モールド三相変圧器などの三相のモールドされた静止誘導電器における高圧側の電圧や、消費される電力などを、簡易な構成で、低コストで監視することができる。
【００５３】
上述した各実施例は、構成を限定するものではない。また、任意の複数の実施例を組み合わせて構成することを排除するわけではない。
【符号の説明】
【００５４】
１ａ,１ｂ：単相高圧巻線、１ｃ：タップ接続線、１ｄ：タップ端子、２ａ,２ｂ：単相低圧巻線、２ｃ：低圧巻線の接続線、１０：高圧巻線側の計器用変圧器（ＶＴ）、１１：高圧巻線側の変流器（ＣＴ）、２０：低圧巻線側の計器用変圧器（ＶＴ）、２１：低圧巻線側の変流器（ＣＴ）、３  ：鉄心、３０：電圧・電流波形の取得手段、３１：制御手段、３２：記録手段、３３：通信手段、３５：基板
【図１】
2020004795.tif 000012
【図２】
2020004795.tif 000013
【図３】
2020004795.tif 000014
【図４】
2020004795.tif 000015
【図５】
2020004795.tif 000016
【図６】
2020004795.tif 000017
【図７】
2020004795.tif 000018
【図８】
2020004795.tif 000019
【図９】
2020004795.tif 000020
【図１０】
2020004795.tif 000021